(57)【要約】【課題】装着時の挿入荷重の増大による不具合を防止でき、しかも、再装着に伴う取付状態の不安定化を回避できるウエザストリップを提供する。【解決手段】ウエザストリップ４はトリム部５及びシール部６を備えている。トリム部５の両側壁部１１，１２内面には保持リップ部１５，１６が一体形成されており、トリム部５の連結部１３内面にはシーラント２７が設けられている。トリム部５の装着状態にあっては、シーラント２７はフランジ部２３先端に当接される。シーラント２７は、発泡剤の混入されたエチレン−酢酸ビニル−バーサチック酸ビニル共重合樹脂のエマルジョンがトリム部５内に充填、発泡させられることで構成されている。当該共重合樹脂のガラス転移点は、−３０℃である。上記シーラント２７は、ソフト感に優れ、タック性も良好である一方、相手側部材に付着したりしない。【選択図】      図４
2007230499.tif 000002
【特許請求の範囲】
【請求項１】
車外側側壁部、車内側側壁部、及び、両側壁部を連結する連結部によって断面略Ｕ字状をなし、車両のドア開口部の周縁のフランジ部に装着されるトリム部と、
前記トリム部から延び、ドア閉時にドアの周縁と圧接するシール部とを備え、
前記トリム部には、前記フランジ部に装着されるときに前記フランジ部に圧接される保持リップが一体形成されるとともに、前記連結部には前記フランジ部に装着されるときに前記フランジ部に当接させられるシーラントが設けられてなるウエザストリップであって、
前記シーラントは、発泡剤の混入されたエチレン−酢酸ビニル系の共重合樹脂のエマルジョンが前記トリム部内に充填、発泡させられることで構成されたものであることを特徴とするウエザストリップ。
【請求項２】
前記シーラントを構成するエチレン−酢酸ビニル系の共重合樹脂は、エチレン−酢酸ビニル−エステル共重合樹脂であることを特徴とする請求項１に記載のウエザストリップ。
【請求項３】
前記シーラントを構成するエチレン−酢酸ビニル系の共重合樹脂は、エチレン−酢酸ビニル−バーサチック酸ビニル共重合樹脂であることを特徴とする請求項１又は２に記載のウエザストリップ。
【請求項４】
前記シーラントを構成するエチレン−酢酸ビニル系の共重合樹脂のガラス転移点は、−２０℃以下であることを特徴とする請求項１乃至３のいずれかに記載のウエザストリップ。
【請求項５】
前記シーラントを構成するエチレン−酢酸ビニル系の共重合樹脂を厚さ０．１５ｍｍのフィルムとしたときの２５℃での伸度は、１０００％以上であることを特徴とする請求項１乃至４のいずれかに記載のウエザストリップ。
【発明の詳細な説明】
【技術分野】
【０００１】
本発明は、車両のドア開口部の周縁のフランジ部に装着されるトリム部を備えたウエザストリップであって、特にトリム部にシーラントが設けられてなるウエザストリップに関するものである。
【背景技術】
【０００２】
一般に、自動車等の車両のドア開口部の周縁にはウエザストリップが装着される。ウエザストリップは、例えば図５（ａ）に示すように、ドア開口部の周縁のフランジ部５１に嵌め込まれる断面略Ｕ字状のトリム部５２と、該トリム部５２から突出して設けられた中空状のシール部５３とを備えている。そして、ドア５４の閉時には、ドア５４の縁部にシール部５３が圧接されることによって、ドア５４とボディとの間がシールされる。
【０００３】
一方、トリム部５２には、内側すなわち、フランジ部５１に向かって延びる保持リップ５５，５６が突出形成されている。フランジ部５１への装着状態にあっては、かかる保持リップ５５，５６がフランジ部５１に対し圧接することによって、所定の保持力が付与され、取付状態の安定化が図られている。
【０００４】
また、車外からの水の浸入を防いだり、遮音性を高めたりすることを目的として、前記トリム部５２内にシーラント５７を設けることが提案されている。シーラント５７の代表的なものとして、ブチルゴム系の不乾性タイプが挙げられる。かかる不乾性タイプのシーラント５７は、ペースト状をなし、形状追従性に優れると共に、装着時に荷重が増大したりすることもないという利点がある。また、不乾性のシーラント５７に代えて、スポンジゴムからなるシーラントを設けたものもある（例えば、特許文献１参照）。
【特許文献１】特開２００１−３４１５８８号公報
【発明の開示】
【発明が解決しようとする課題】
【０００５】
しかしながら、上記のように不乾性タイプのシーラント５７を設けた場合、次に示す不具合が生じる。すなわち、トリム部５２をフランジ部５１に一旦装着した後に、取外す必要が生じる場合がある。この場合、トリム部５２を一旦取外すと、図５（ｂ）に示すように、フランジ部５１の先端にシーラント５７を構成する素材が付着し、当該付着した素材がさらに保持リップ５５，５６にまで付着してしまう。そして、再度トリム部５２をフランジ部５１に装着した場合、保持リップ５５，５６にシーラント５７を構成する素材が付着しているため、保持リップ５５，５６とフランジ部５１との間に前記素材が介在し、両者間の摩擦力が著しく低下してしまい、トリム部５２が抜けやすくなってしまう。その結果、ウエザストリップの取付状態が不安定になってしまうおそれがあった。
【０００６】
また、不乾性のシーラント５７に代えて、スポンジゴムからなるシーラントを設けた場合には、上記付着による不具合が回避できるものの、装着時の挿入荷重が著しく大きいものとなってしまい、取付作業性の低下等を招いてしまうおそれがあった。
【０００７】
本発明は上記問題点を解決するためになされたものであって、その目的は、装着時の挿入荷重の増大による不具合を防止でき、しかも、再装着に伴う取付状態の不安定化を回避できるウエザストリップを提供することにある。
【課題を解決するための手段】
【０００８】
以下、上記目的を解決するのに適した各手段につき、項分けして説明する。なお、必要に応じて対応する手段に特有の作用効果等を付記する。
【０００９】
手段１．車外側側壁部、車内側側壁部、及び、両側壁部を連結する連結部によって断面略Ｕ字状をなし、車両のドア開口部の周縁のフランジ部に装着されるトリム部と、
前記トリム部から延び、ドア閉時にドアの周縁と圧接するシール部とを備え、
前記トリム部には、前記フランジ部に装着されるときに前記フランジ部に圧接される保持リップが一体形成されるとともに、前記連結部には前記フランジ部に装着されるときに前記フランジ部に当接させられるシーラントが設けられてなるウエザストリップであって、
前記シーラントは、発泡剤の混入されたエチレン−酢酸ビニル系の共重合樹脂のエマルジョンが前記トリム部内に充填、発泡させられることで構成されたものであることを特徴とするウエザストリップ。
【００１０】
手段１によれば、トリム部には保持リップが一体形成されており、フランジ部に装着されるときに、保持リップがフランジ部に圧接される。これによって、所定の保持力が付与され、ウエザストリップの取付状態の安定化が図られる。また、連結部にはシーラントが設けられており、トリム部がフランジ部に装着されるときにシーラントがフランジ部に当接させられる。これにより、車外から車内への水の浸入が防止されたり、車内外の遮音性が高めたりする。さて、本手段１のシーラントは、発泡剤の混入されたエチレン−酢酸ビニル系の共重合樹脂のエマルジョンが前記トリム部内に充填、発泡させられることで構成される。このため、所定のソフト感、タック性（粘着性）が付与されることとなり、装着時における荷重が増大しすぎることもなく、また、シーラントとしての機能が十分に発揮される。しかも、手段１のシーラントは、充填、発泡後においては、接触する相手側部材に付着してしまうものではないため、装着後一旦トリム部を外したとしても不乾性シーラントのようにフランジ部に付着してしまうといった事態も生じない。その結果、再装着に伴う取付状態の不安定化を回避できる。
【００１１】
なお、エチレン−酢酸ビニル系の共重合樹脂としては、例えば、次の各手段のものを好適に採用することができる。
【００１２】
手段２．前記シーラントを構成するエチレン−酢酸ビニル系の共重合樹脂は、エチレン−酢酸ビニル−エステル共重合樹脂であることを特徴とする手段１に記載のウエザストリップ。
【００１３】
また、エステルとして次の手段３のような特殊エステルを採用することとしてもよい。
【００１４】
手段３．前記シーラントを構成するエチレン−酢酸ビニル系の共重合樹脂は、エチレン−酢酸ビニル−バーサチック酸ビニル共重合樹脂であることを特徴とする手段１又は２に記載のウエザストリップ。
【００１５】
上記手段２，３のように、エステルを共重合することで、所望とするソフト感、タック性を付与することができる。特に、エステルとしてバーサチック酸ビニルのようなバルキーな特殊エステルを用いることで、共重合体の側鎖を大きくすることができ、結果としてより一層ソフトでかつタック性に優れたものとすることができる。尚、エチレン−酢酸ビニル−バーサチック酸ビニル共重合樹脂のエマルジョンとしては、例えば住友化学株式会社製  商品名：スミカフレックス  ９５０ＨＱ，９５１ＨＱ等が挙げられる。
【００１６】
また、上記ソフト感、タック性に優れたものとするためには、次の特性を備えたものとするのが望ましい。
【００１７】
手段４．前記シーラントを構成するエチレン−酢酸ビニル系の共重合樹脂のガラス転移点は、−２０℃以下であることを特徴とする手段１乃至３のいずれかに記載のウエザストリップ。
【００１８】
手段５．前記シーラントを構成するエチレン−酢酸ビニル系の共重合樹脂を厚さ０．１５ｍｍのフィルムとしたときの２５℃での伸度は、１０００％以上であることを特徴とする手段１乃至４のいずれかに記載のウエザストリップ。
【００１９】
上記手段４のように、ガラス転移点が比較的低いものとすることで、所望とするソフト感、タック性を得やすい。また、手段５のように、フィルムとして室温で１０倍以上の伸度を有する素材を用いることで、シーラントとして、よりフレキシビリティの高いものとすることができる。尚、上記具体的に例示した素材は、共重合体として手段４，５の条件を充足するものである。
【発明を実施するための最良の形態】
【００２０】
以下に、一実施形態について図面を参照して説明する。図１に示すように、車両としての自動車１の側方にはドア２が開閉可能に設けられ、ドア２に対応するボディ側の開口部３の周縁にはウエザストリップ４が装着されている。図２に示すように、本実施形態のウエザストリップ４は、主として押出成形法によって成形され、全体として環状をなす。なお、コーナー部に対応する部位等については、型成形法により成形されていてもよい。
【００２１】
図３，４に示すように、ウエザストリップ４はトリム部５及びシール部６を備えている。トリム部５は、車内側側壁部１１、車外側側壁部１２及び両側壁１１，１２を連結する連結部１３を備えており、全体として断面略Ｕ字状をなす。トリム部５は、ソリッド弾性材料としてのＥＰＤＭ（エチレン−プロピレン−ジエン共重合）ソリッドゴムによって構成されており、その内部には金属製のインサート１４が埋設されている。
【００２２】
車外側側壁部１２の内面（車内側面）にはトリム部５の内側（車内側）に向かって延びる複数の保持リップ部１５が一体形成され、車内側側壁部１１の内面（車外側面）にはトリム部５の内側（車外側）に向かって延びる保持リップ部１６が一体形成されている。
【００２３】
また、ドア開口３周縁には、前記ボディの一対のインナパネル２１ａ，２１ｂ及びアウタパネル２２が接合されることによりフランジ部２３が形成されており、当該フランジ部２３にトリム部５が嵌め込まれることにより、ウエザストリップ４がドア開口３周縁に保持される。このとき、保持リップ１５，１６がフランジ部２３に対し圧接することによって、所定の保持力が付与され、ウエザストリップ４の取付状態の安定化が図られている。
【００２４】
一方、シール部６は、前記車外側側壁部１２の車外側に設けられ、スポンジ弾性材料としてのＥＰＤＭスポンジゴムによって中空状に構成されている。そして、ドア２閉時には、シール部６にドア２の周縁が圧接されることで、ドア２と自動車１のボディとの間がシールされる。尚、本実施形態ではシール部６の外表面には、厚み約０．２ｍｍの皮膜部７が設けられているが、当該被膜部７を省略することとしても何ら差し支えない。
【００２５】
さて、本実施形態では、前記トリム部５の連結部１３内面には、シーラント２７が設けられている。そして、図４に示すように、トリム部５がフランジ部２３に装着された状態にあっては、シーラント２７がフランジ部２３先端に当接（圧接）されるようになっている。これにより、フランジ部２３の車内側と車外側とがシーラント２７で遮断され、車外側から車内側への水の浸入の防止が図られているとともに、車内外の遮音性が高められている。
【００２６】
本実施形態では、前記シーラント２７は、発泡剤の混入されたエチレン−酢酸ビニル系の共重合樹脂のエマルジョンが前記トリム部５内（主として連結部１３）に充填、発泡させられることで構成されている。より詳しくは、シーラント２７を構成するエチレン−酢酸ビニル系の共重合樹脂として、エチレン−酢酸ビニル−バーサチック酸ビニル共重合樹脂が採用されている。当該エチレン−酢酸ビニル−バーサチック酸ビニル共重合樹脂のエマルジョンとしては、例えば住友化学株式会社製  商品名：スミカフレックス  ９５０ＨＱ等が好適に用いられる。当該エマルジョン中のエチレン−酢酸ビニル−バーサチック酸ビニル共重合樹脂のガラス転移点は、−３０℃であり、また、当該共重合樹脂を厚さ０．１５ｍｍのフィルムとしたときの２５℃での伸度は、１５００％以上である。
【００２７】
以上述べた本実施形態のウエザストリップ４によれば、次に記す作用効果が奏される。すなわち、本実施形態のシーラント２７は、上記のように発泡剤の混入されたエチレン−酢酸ビニル系の共重合樹脂のエマルジョンが前記トリム部５内に充填、発泡させられることで構成される。このため、理想的なソフト感、タック性（粘着性）が付与されることとなり、装着時における荷重が増大しすぎることもなく、また、防水、遮音機能を十分に発揮しうる。
【００２８】
しかも、本実施形態のシーラント２７は、充填、発泡後においては、接触する相手側部材に付着してしまうものではないため、フランジ部２３に装着後一旦トリム部５を外したとしても、従来の不乾性シーラントのようにフランジ部２３や保持リップ１５，１６に付着してしまうといった事態も生じない。その結果、再装着に伴う取付状態の不安定化を回避できる。
【００２９】
特に、本実施形態では、シーラント２７の前記共重合樹脂としてエチレン−酢酸ビニル−バーサチック酸ビニル共重合樹脂を用いており、共重合体の側鎖を比較的大きいものとすることができる。そのため、ガラス転移点を比較的低くすることができ（例えばＴｇ＝―３０℃）、結果としてより一層ソフト感に富み、かつ、タック性に優れたものとすることができる。
【００３０】
尚、上記実施形態の記載内容に限定されず、例えば次のように実施してもよい。勿論、以下において例示しない他の応用例、変更例も当然可能である。
【００３１】
（ａ）上記実施形態では、（サイドフロント）ドア２に対応するボディ側の開口部３の周縁に設けられるウエザストリップ４について具体化しているが、リヤドア、バックドア、ラッゲージドア（トランクリッド）、ルーフドア（スライディングルーフパネル）等の他のドアの開口周縁に設けられるウエザストリップについて適用することも可能である。また、シール部として、上記実施形態のような中空状のシール部６以外にもリップ状のシール部を有するタイプのウエザストリップに適用することも可能である。
【００３２】
（ｂ）上記実施形態では、シーラント２７を構成するエチレン−酢酸ビニル系の共重合樹脂として、エチレン−酢酸ビニル−バーサチック酸ビニル共重合樹脂を採用しているが、他の共重合体を採用してもよい。例えば、バーサチック酸ビニル以外のエステル（例えばバーサチック酸はｔ−デカン酸の俗称であるが、当該ｔ−デカン（炭素数１０）酸に近似する炭素数が１０未満、或いは１０を超えるターシャリー酸のビニルエステル）を共重合した樹脂を採用してもよい。また、エステル以外の素材を共重合することとしてもよい。但し、この場合において、所定のソフト感を得たうえで、タック性に優れたものとするためには、共重合樹脂のガラス転移点が、−２０℃以下であり、また、厚さ０．１５ｍｍのフィルムとしたときの２５℃での伸度が、１０００％以上であるものが望ましい。このようにガラス転移点が比較的低いものとすることで、所望とするソフト感、タック性を得やすい。また、フィルムとして室温で１０倍以上の伸度を有する素材を用いることで、シーラント２７として、よりフレキシビリティの高いものとすることができる。
【００３３】
（ｃ）上記実施形態では発泡剤について、特に言及していないが、所定のソフト感等が得られれば、その素材、配合量については特に限定されるものではない。また、上記エマルジョンの塗布（充填）量についても、充填、発泡後トリム部５をフランジ部２３に装着した状態で、フランジ部２３先端に接触可能であれば、特に限定されるものではない。
【００３４】
（ｄ）上記実施形態ではトリム部５内にインサート１４が埋設されているが、当該インサート１４を省略することとしてもよい。
【００３５】
（ｅ）上記実施形態では、ウエザストリップ４を構成する素材としてＥＰＤＭを例示しているが、ＩＲ（イソプレンゴム）、ＣＲ（クロロプレンゴム）等の他のゴム材料を用いてもよい。また、オレフィン系熱可塑性エラストマー（ＴＰＯ）、或いは軟質のポリ塩化ビニル等のゴム状弾性を有する他の弾性材料により構成してもよい。
【００３６】
（ｆ）上記実施形態では、ウエザストリップ４がドア開口３周縁の全周にわたって取付けられているが、必ずしも全周でなくてもよく、例えば部分的に取付けられるウエザストリップであってもよい。また、直線状部分において、型成形部によって連結して環状にしてもよい。すなわち、部分的に型成形部を備えていても良い。
【００３７】
（ｇ）上記実施形態における保持リップ１５，１６のうち、一方を省略した構成を採用することもできる。
【図面の簡単な説明】
【００３８】
【図１】自動車を示す斜視図である。
【図２】一実施形態におけるウエザストリップを示す正面図である。
【図３】ウエザストリップを示す図２のＪ−Ｊ線断面図である。
【図４】ウエザストリップのフランジ部への取付状態を示す断面図である。
【図５】（ａ）は従来のウエザストリップを示す断面図であり、（ｂ）は不乾性シーラントを用いた場合の不具合を示す断面図である。
【符号の説明】
【００３９】
１…自動車、２…ドア、３…開口部、４…ウエザストリップ、５…トリム部、６…シール部、１１…車内側側壁部、１２…車外側側壁部、１３…連結部、１５，１６…保持リップ、２３…フランジ部、２７…シーラント。
【図１】
2007230499.tif 000003
【図２】
2007230499.tif 000004
【図３】
2007230499.tif 000005
【図４】
2007230499.tif 000006
【図５】
2007230499.tif 000007